(57)【要約】【課題】修復を低コストで行うことができる表示装置を得ることにある。【解決手段】標識板（１１）と拡散板（１２）と光源とを組合せた表示装置であって、標識板が拡散板上に配置されており、光源が前記標識板と反対側に位置して拡散板に配置された複数の発光ダイオードからなり、拡散板は複数に分割された拡散板セルからなり、発光ダイオードは各々の拡散板セルに組み込んだ構成にしている。それによって、発光ダイオードの一部が故障した時に、故障した発光ダイオードが組み込まれた拡散板セルの交換だけで復帰させることができる。【選択図】    図２
2004300783.tif 000002
【特許請求の範囲】
【請求項１】
拡散板と該拡散板上に配置された標識板と光源とを組合せた表示装置であって、
前記光源は、前記標識板と反対側に位置して前記拡散板に配置された複数の発光ダイオードからなっている表示装置において、
前記拡散板は、複数に分割された拡散板セルからなり、前記発光ダイオードは各々の拡散板セルに組み込まれていること、
を特徴とする表示装置。
【請求項２】
前記拡散板が円盤の形態をなし、拡散板中央セル及び拡散板周辺セルによって構成され、該拡散板中央セルが前記拡散板と中心を共有し、且つ、前記拡散板と相似形状に形成され、前記拡散板周辺セルが前記拡散板の中心に関して等角度間隔に分割されかつ前記拡散板中央セルに対応する領域を切除された形状に形成され、前記発光ダイオードが拡散板中央セル及び前記拡散板周辺セルの各々に組み込まれていることを特徴とする請求項１に記載の表示装置。
【請求項３】
前記拡散板が円盤の形態をなし、その中心に関して等角度間隔に分割された複数の拡散板セルからなり、前記発光ダイオードが各々の拡散板セルに組み込まれていることを特徴とする請求項１に記載の表示装置。
【発明の詳細な説明】
【０００１】
【発明の属する技術分野】
本発明は、表示装置にかかわり、さらに詳しくは、制限速度や進入禁止等の交通情報を表示するのに好適な表示装置に関するものである。
【従来の技術】
従来、屋外での表示装置などの照明方式としては、ネオン管や蛍光管などの光源により表示面を照射する外照式と、標識の内側から表示面を照らす内照式の照明方式が知られている。また、最近では明るさにむらのない照明方式として面発光方式の表示装置が注目されるようになってきた。
【０００２】
面発光方式の表示装置は、主に液晶ディスプレイのバックライトに用いられてきた方式であり、ＥＬ（エレクトロルミネセンス）方式と、導光板方式とが従来から知られている。ＥＬ方式は、基板上に積層された無機薄膜固体からなる発光層に、交流パルスを印加することにより、その電気的な刺激によって高エネルギー電子が発生し、基底状態に戻る時にエネルギーを光として放出する現象を利用したものである（例えば、特許文献１を参照）。また、導光板方式は、透明プラスチック板等の屈折率、透過率の高い材質からなり、片面にドット印刷やエンボス加工等の特殊加工を施した導光板の端面から光源からの光を導入し、その光が導光板の中を全反射するとともに、特殊加工された片面で向きを変えて対面である導光板の表面から放出される現象、すなわち、プリズム効果を利用したものである。（例えば、特許文献２を参照）。
【０００３】
【特許文献１】
特開２００２−１３２１９２号公報
【特許文献２】
特開平１０−１０５０９４号公報
【発明が解決しようとする課題】
このような表示装置は、光源として多数の発光ダイオードを使用しているが、その一部が故障したまま使用すると、表示装置としての役目を喪失し、重大な事故を誘発する恐れがあるため、早期に修復する必要がある。
【０００４】
しかしながら、修理は、高所作業車に乗って表示装置を背の高いポール等から降ろし、新たな表示装置に交換した後、故障した表示装置を工場に運んで発光ダイオードの修理や交換をしなければならず、予備の表示装置を必要とし、かなりのコストが必要である。
【０００５】
本発明の目的は、修復を低コストで行うことができる、改良された表示装置を提供することにある。
【課題を解決するための手段】
上記目的を達成するために、本発明の表示装置は、標識板と拡散板と光源とを組合せた表示装置であって、標識板が拡散板上に配置されており、光源が前記標識板と反対側に位置して拡散板に配置された複数の発光ダイオードからなっている表示装置において、拡散板は複数に分割された拡散板セルからなり、発光ダイオードは各々の拡散板セルに組み込まれていることを特徴としている。
【作用】
本発明の表示装置は、標識板と拡散板と光源とを組合せた表示装置であって、標識板が拡散板上に配置されており、光源が前記標識板と反対側に位置して拡散板に配置された複数の発光ダイオードからなっている表示装置において、拡散板は複数に分割された拡散板セルからなり、発光ダイオードは各々の拡散板セルに組み込まれているため、発光ダイオードの一部が故障した時に、単に、故障した発光ダイオードが組み込まれた拡散板セルのみを交換するだけで復帰し、装置全体を取り外して工場などに持ち帰ることなく、修復を設置現場でも行なえる。
【０００６】
本発明の表示装置において、拡散板は、交通標識として使用する場合、円盤の形態に形成され、その中心と相似形状の拡散板中央セルと円盤の中心に関して等角度分割することによって形成された拡散板周辺セルとによって構成し、拡散板中心セルの明るさを拡散板周辺セルのそれよりも高くして、視認性を向上させてもよい。また、拡散板を、円盤の形態に形成し、その中心に関して等角度分割することによって形成された拡散板セルから構成して、つまり、同一形状の拡散板セルとして、部品管理を簡単にし、修復に際しての携行性を良くしてもよい。
【０００７】
また、拡散板は、円盤の形態のみならず、適用分野や環境などに応じて、正方形、矩形、三角形などの形態に形成し、他の分割方法を採用してもよい。
【０００８】
さらに、発光ダイオードはセルのすべてについて同一色光を発光するものからなっていてもよく、適用分野などに応じて、一部のセルに他の色光を放射する発光ダイオードを組み込んでも良い。
【発明の実施の形態】
以下、図を参照して、本発明の表示装置の実施の形態としての実施例を説明する。
【０００９】
図１は、本発明の表示装置の一実施例を示している。この表示装置は、交通標識で、標識板１１及び拡散板１２を有している。
【００１０】
標識板１１は、透明なプラスチック板からなるもので、内面（拡散板１２を向いた面）に、例えば、制限速度を示す数字６０からなる標識１３が印刷されている。
【００１１】
拡散板１２は、例えば、厚さが１０ｍｍ、直径が８７３ｍｍのサイズを持つ円板形状であって、ポリカーボネート樹脂等の半透明プラスチックからなっている。そして、平行に対峙する入光面及び出光面を有し、入光面側から入光された光を拡散して出光面より出光させることができる。この拡散板１２は、図２に示すように、拡散板中央セル１４及び拡散板周辺セル１５によって構成されている。拡散板中央セル１４は、拡散板１２と中心を共有し、且つ、拡散板よりも小さな円盤形状に形成されている。拡散板周辺セル１５は、拡散板の中心に関して等角度間隔に分割されている。例えば、拡散板周辺セル１５は、拡散板１２の中心に関して角度４５°で等角度間隔分割され、拡散板１２の全周を８分割した際の弧の長さに略等しい長さの扇形状をなしている。しかし、拡散板周辺セル１５の中心は、拡散板中央セル１４に対応する領域を切除されている。
【００１２】
拡散板中央セル１４の入光面側には複数の発光ダイオード１６が組み込まれている。各々の拡散板周辺セル１５の入光面側にも、複数の発光ダイオード１６が組み込まれている。発光ダイオード１６は、図３に示すように、発光面を拡散板中央セル１４の出光面に向け、拡散板中央セル１４の入光面に設けたウェル１７に挿入され、拡散板１２とほぼ同じ光学特性をもつプラスチックからなる充填剤１８によって位置を固定されている。そして、例えば、拡散板中央セル１４に組み込まれた発光ダイオード１６は、拡散板周辺セル１５に組み込まれた発光ダイオード１６よりも大きな出力をもつものとしたり、拡散板中央セル１４の発光ダイオード１６の数を拡散板周辺セル１５の発光ダイオード１６のそれよりも多くするなどして、拡散板中央セル１４の輝度が拡散板周辺セル１５よりも高くなるようにしている。なお、図示していないが、各々のセル１４，１５の発光ダイオード１６は、セル１４，１５の各々の入光面側に配置された印刷配線板において直列あるいは並列接続されている。
【００１３】
これらの標識板１１及び拡散板１２は、弾性部材２１及び反射板２２と一緒に、内部枠体２４に組み込まれている。弾性部材２１は発泡ウレタン樹脂からなっている。反射板２２は、アルミニウム板からなっており、周囲にガスケット２３をはめ込まれている。内部枠体２４は、アルミニウムからなるもので、一端を閉塞され、他端を開放された厚みの薄い円筒形をなしている。内部枠体２４の開放端にはガスケット２３及び拡散板１２よりも直径の大きな開口をもつリング状部材が設けられている。組み付けは、例えば、リング状部材の開口から内部枠体２４の内部に弾性部材２１を入れ、この弾性部材２１の上に反射板２２を載せ、入光面を反射板２２に向け、且つ、反射板２２の上に一つの円盤を形成するように拡散板中央セル１４と拡散板周辺セル１５とを載せた後、ガスケット２３を嵌めた標識板１１をセル１４，１５の上に載せることによってなされる。
【００１４】
さらに、この組み立てユニットは内部枠体２４に外部枠体２５を装着することによって位置決めされる。外部枠体２５は、アルミニウムからなるもので、正面形状がリングの形態をなし、断面がチャネル形の部材からなっている。この外部枠体２５は中心を通る直線を分割線として、二つに分かれている。内部枠体２４に対する装着は、外部枠体２５の各々の分割部分を内部枠体２４の上下に嵌め、外部枠体２５を連結具によって結合することでなされている。なお、各々のセル１４，１５の発光ダイオード１６は、印刷配線板及びワイヤーハーネスによって内部枠体２４にある制御回路に接続され、この制御回路を通じて外部電源に接続されるようになっている。そして、ワイヤーハーネスは、反射板２２と弾性部材２１との間に配置され、弾性部材２１によって位置決めされている。
【００１５】
組み立てられると、この表示装置は標識板１１、拡散板１２及び反射板２２は弾性部材２１によって均一な圧力で付勢された状態で、内部枠体２４に支持固定される。そして、ガスケット２３が外部から表示装置内部へ雨水等が進入するのを阻止する。
【００１６】
道路への設置は、路傍に立てたポールにこの表示装置を固定し、制御装置を外部電源に接続することによってなされる。発光ダイオード１６が点灯されると、拡散板中央セル１４の輝度が拡散板周辺セル１５のそれよりも高くなるため、道路を走行するドライバーに中央にある制限速度６０Ｋｍの標識１３を印象づけることができる。
【００１７】
使用中、この表示装置は雨、風に曝される。しかし、発光ダイオード１６は、プラスチックによってモールドされ、拡散板１２はガスケット２３によってシールされ、雨水などが内部に進入せずしないため、寿命が長い。この時に、発光ダイオード１６の一部が何らかの原因によって故障、いわゆる球切れを生じても、その発光ダイオードを組み込んだセル１４，１５を交換するだけで、復帰させることができる。例えば、拡散板周辺セル１５の一つにある発光ダイオード１６が球切れとなった時には、この表示装置をポールから降ろし、外部枠体２５を外し、故障した発光ダイオード１６をもつセル１５を新たなセル１５に交換したあと、再組み立てすることによって復帰する。他の拡散板周辺セル１５及び拡散板中央セルの発光ダイオード１６が球切れを生じても、同様にして復帰させることができる。このため、工事を設置現場でも行うことができ、交通事故を最小にすることができるばかりか、交通遮断時間も最小にすることができる。そして、光源に発光ダイオード１６を使用し、消費電力が低いことと相俟って、ランニングコストをきわめて低く抑えることができる。
【００１８】
図４は、本発明の表示装置の他の実施例を示している。この表示装置は、図１〜図３に関連して説明した表示装置に対して、拡散板の構成のみが異なっている。このため、図４は拡散板のみを示している。
【００１９】
拡散板１１２も、上述の例と同様、厚さ１０ｍｍ、直径が８７３ｍｍの半透明プラスチック円盤からなっている。この拡散板１１２は８個の拡散板セル１１４からなっている。各々の拡散板セル１１４は、単に、拡散板１１２の中心に関して等角度間隔に分割されることによって形成された扇形をなしている。
【００２０】
各々の拡散板セル１１４の入光面には複数の発光ダイオード１６が組み込まれている。発光ダイオード１６は、発光面を拡散板セル１１４の出光面に向けて、拡散板セル１１４の入光面に設けたウェルに挿入され、拡散板１１２とほぼ同じ光学特性をもつプラスチックからなる充填剤によって位置を固定されている。各々の拡散板セル１１４の発光ダイオード１６は印刷配線板及びワイヤーハーネスによって制御装置に接続されている。この表示装置において、各々の拡散板セル１１４にある発光ダイオード１６は同じ出力をもつものからなり、各々の拡散板セルの輝度は同じになっている。
【００２１】
このような拡散板１１２をもつ表示装置も、発光ダイオード１６がプラスチックモールドされているため、寿命が長いが、何らかの原因によって故障、いわゆる球切れを生じても、その発光ダイオード１６が組み込まれた拡散板セル１１４を交換するだけで、設置現場でも復帰工事を行うことができて、交通事故及び交通遮断時間を最小にすることができ、修復工事を容易にかつ短時間で行うことができて、ランニングコストがきわめて低い。そして、拡散板セル１１４は拡散板１１２に比較して軽量であるばかりか、同一形状であるため、修復現場に向かう時に一つの拡散板セル１１４のみを携行するだけでよく、図１〜図３に関連して説明した表示装置よりも、部品管理及び携行性が優れている。
【００２２】
なお、この表示装置において、各々の拡散板セル１１４にある発光ダイオード１６は、拡散板１１２の中央に位置する発光ダイオード１６を残余の発光ダイオードのよりも大きな出力をもつものにして、図１〜図３に関連して説明した表示装置と同様に、６０ｋｍの表示の視認を高くしても良い。
【００２３】
【発明の効果】
以上説明したように、本発明の表示装置は、標識板と拡散板と光源とを組合せた表示装置であって、標識板が拡散板上に配置されており、光源が前記標識板と反対側に位置して拡散板に配置された複数の発光ダイオードからなっていると共に、拡散板は複数に分割された拡散板セルからなり、発光ダイオードは各々の拡散板セルに組み込まれた構成としたことによって、発光ダイオードの一部が故障した時に、これが組み込まれた拡散板セルのみを交換するだけで、現状に復帰することができるため、修復をきわめて低いコストで行うことができる。
【図面の簡単な説明】
【図１】本発明の一実施例である表示装置の一部を破断された正面図である。
【図２】図１に示す表示装置に組み込まれた拡散板の構成を示す説明図である。
【図３】図１の３−３線に沿う拡大断面図である。
【図４】本発明の表示装置の他の実施例における拡散板の構成を示す説明図である。
【符号の説明】
１１    ・・・  標識板
１２    ・・・  拡散板
１３    ・・・  標識
１４    ・・・  拡散板中央セル
１５    ・・・  拡散板周辺セル
１６    ・・・  発光ダイオード
１７    ・・・  ウェル
１８    ・・・  充填剤
２１    ・・・  弾性部材
２２    ・・・  反射板
２３    ・・・  ガスケット
２４    ・・・  内部枠体
２５    ・・・  外部枠体
１１２  ・・・  拡散板
１１４  ・・・  拡散板セル
【図１】
2004300783.tif 000003
【図２】
2004300783.tif 000004
【図３】
2004300783.tif 000005
【図４】
2004300783.tif 000006